(57)【要約】【課題】強風を受けた際の屋根瓦の離脱を確実に防止する。【解決手段】第１瓦桟１１は、最下列となる１列目の屋根瓦２０に対応して設けられ、傾斜交叉方向に沿って略直線状に配置されて屋根面４の軒端に固定され、１列目の屋根瓦２０の下部が載置される。第２瓦桟１２は、複数列のうち最下列を除く２列目以降の各列の屋根瓦２０に対応して設けられ、１列下の屋根瓦２０の上端部の斜め上方近傍で傾斜交叉方向に沿って略直線状に配置されて屋根面４に固定される。複数列の各列の屋根瓦２０の上端部は、屋根面４に固定される。１列目の屋根瓦２０の下部は、第１瓦桟１１に載置されて固定される。２列目以降の各列の屋根瓦２０の下部は、当該列に対応する第２瓦桟１２に接触又は非接触状態で固定される。【選択図】図３
2018162556.tif 000002
【特許請求の範囲】
【請求項１】
屋根の傾斜方向に沿って並ぶ複数列の各列において複数の屋根瓦が前記傾斜方向と交叉する傾斜交叉方向に沿って並び、隣接する上下の列において上側の屋根瓦の下端部が下側の屋根瓦の上端部に上方から重なるように屋根面上に配置される複数の屋根瓦を前記屋根面に固定するための屋根瓦の固定構造であって、
前記複数列のうち最下列となる１列目に対応して設けられ、前記傾斜交叉方向に沿って略直線状に配置されて前記屋根面の軒端に固定され、１列目の屋根瓦の下部が載置される第１瓦桟と、
前記複数列のうち最下列を除く２列目以降の各列に対応して設けられ、１列下の屋根瓦の上端部の斜め上方近傍で前記傾斜交叉方向に沿って略直線状に配置されて前記屋根面に固定される複数の第２瓦桟と、を備え、
前記複数列の各列の屋根瓦の上端部は、前記屋根面に固定され、
１列目の屋根瓦の下部は、前記第１瓦桟に載置されて固定され、
２列目以降の各列の屋根瓦の下部は、当該列に対応する前記第２瓦桟に接触又は非接触状態で固定される
ことを特徴とする屋根瓦の固定構造。
【請求項２】
屋根の傾斜方向に沿って並ぶ複数列の各列において複数の屋根瓦が前記傾斜方向と交叉する傾斜交叉方向に沿って並び、隣接する上下の列において上側の屋根瓦の下端部が下側の屋根瓦の上端部に上方から重なるように屋根面上に配置される複数の屋根瓦を前記屋根面に固定するための屋根瓦の固定方法であって、
前記複数列のうち最下列となる１列目に対応する第１瓦桟を、１列目の屋根瓦の下部が載置可能な前記屋根面の軒端に、前記傾斜方向と交叉する傾斜交叉方向に沿って略直線状に配置して固定する第１瓦桟固定工程と、
前記複数列のうち最下列を除く２列目以降の各列に対応する複数の第２瓦桟の各々を、前記屋根面の所定位置に前記傾斜交叉方向に沿って略直線状に配置して固定する第２瓦桟固定工程と、
１列目の屋根瓦の下部を前記第１瓦桟に載置して固定するとともに、１列目の屋根瓦の上端部を前記屋根面に固定した後、２列目の屋根瓦の下端部を１列目の屋根瓦の上端部に載置し、２列目の屋根瓦の上端部を前記屋根面に固定するとともに、２列目の屋根瓦の下部を２列目に対応する前記第２瓦桟に接触又は非接触状態で固定し、３列目以降の屋根瓦を、前記２列目の屋根瓦と同様に順次載置して固定する瓦固定工程と、を備えた
ことを特徴とする屋根瓦の固定方法。
【発明の詳細な説明】
【技術分野】
【０００１】
本発明は、屋根瓦の固定構造及び屋根瓦の固定方法に関する。
【背景技術】
【０００２】
特許文献１には、最下列から上方に屋根瓦を順次重ねて野地板に固定する構造が記載されている。野地板の軒端（屋根の最下部である軒先）の上面には、複数本の鼻桟が屋根の傾斜方向と略直交して略直線状に並んで配置されて固定され、鼻桟には、屋根の傾斜方向の最下列（軒側先端）の屋根瓦の下端部（軒先側）が載せられて固定されている。また、最下列の屋根瓦の上端部（棟側）は、野地板に釘によって固定されている。最下列の屋根瓦の上端部には、屋根の傾斜方向の直ぐ上（最下列から上方に２列目）の屋根瓦の下端が重ねられ、２列目の屋根瓦の上端部も、釘によって野地板に固定され、３列目以降の屋根瓦も２列目と同様に載置され固定される。
【先行技術文献】
【特許文献】
【０００３】
【特許文献１】特開２００６−２１４１１７号公報
【発明の概要】
【発明が解決しようとする課題】
【０００４】
上記従来の構造では、最下列を除く２列目以降の屋根瓦は、その上側のみが野地板（屋根上面）に固定される。このため、屋根の傾斜方向に沿って下方から上方へ吹き上げる強い風を受けた場合、２列目以降の屋根瓦が巻き上げられて屋根面から離脱してしまう可能性がある。また、風を受けた側と反対側（下流側）の傾斜面において強い負圧が発生することにより、反対側の屋根瓦が屋根面から浮き上がって離脱してしまう可能性もある。特に、屋根瓦を軽量化した場合には、２列目以降の屋根瓦が離脱し易くなる。
【０００５】
そこで、本発明は、強風を受けた際の屋根瓦の離脱を確実に防止することが可能な屋根瓦の固定構造及び屋根瓦の固定方法の提供を目的とする。
【課題を解決するための手段】
【０００６】
上記課題を解決するため、本発明に係る構造は、屋根の傾斜方向に沿って並ぶ複数列の各列において複数の屋根瓦が上記傾斜方向と交叉する傾斜交叉方向に沿って並び、隣接する上下の列において上側の屋根瓦の下端部が下側の屋根瓦の上端部に上方から重なるように屋根面上に配置される複数の屋根瓦を屋根面に固定するための屋根瓦の固定構造であって、第１瓦桟と、複数の第２瓦桟とを備える。
【０００７】
第１瓦桟は、複数列のうち最下列となる１列目に対応して設けられ、上記傾斜交叉方向に沿って略直線状に配置されて屋根面の軒端に固定され、１列目の屋根瓦の下部が載置される。第２瓦桟は、複数列のうち最下列を除く２列目以降の各列に対応して設けられ、１列下の屋根瓦の上端部の斜め上方近傍で上記傾斜交叉方向に沿って略直線状に配置されて屋根面に固定される。複数列の各列の屋根瓦の上端部は、屋根面に固定される。１列目の屋根瓦の下部は、第１瓦桟に載置されて固定される。２列目以降の各列の屋根瓦の下部は、当該列に対応する第２瓦桟に接触又は非接触状態で固定される。
【０００８】
屋根瓦の各上端部は、屋根面に直接載置されて固定されてもよく、屋根面に間接的に載置されて固定されてもよい。屋根瓦の各上端部を屋根面に間接的に固定する場合、複数の第３瓦桟を備えてもよい。第３瓦桟は、複数列の各列に対応して設けられ、上記傾斜交叉方向に沿って略直線状に配置されて屋根面に固定される。第３瓦桟には、各列の屋根瓦の上端部が載置されて固定される。
【０００９】
また、本発明に係る方法は、屋根の傾斜方向に沿って並ぶ複数列の各列において複数の屋根瓦が上記傾斜方向と交叉する傾斜交叉方向に沿って並び、隣接する上下の列において上側の屋根瓦の下端部が下側の屋根瓦の上端部に上方から重なるように屋根面上に配置される複数の屋根瓦を前記屋根面に固定するための屋根瓦の固定方法であって、第１瓦桟固定工程と、第２瓦桟固定工程と、瓦固定工程とを備える。
【００１０】
第１瓦桟固定工程では、複数列のうち最下列となる１列目に対応する第１瓦桟を、１列目の屋根瓦の下部が載置可能な屋根面の軒端に、上記傾斜交叉方向に沿って略直線状に配置して固定する。第２瓦桟固定工程では、複数列のうち最下列を除く２列目以降の各列に対応する複数の第２瓦桟の各々を、屋根面の所定位置に上記傾斜交叉方向に沿って略直線状に配置して固定する。瓦固定工程では、１列目の屋根瓦の下部を第１瓦桟に載置して固定するとともに、１列目の屋根瓦の上端部を屋根面に固定した後、２列目の屋根瓦の下端部を１列目の屋根瓦の上端部に載置し、２列目の屋根瓦の上端部を屋根面に固定するとともに、２列目の屋根瓦の下部を２列目に対応する第２瓦桟に接触又は非接触状態で固定し、３列目以降の屋根瓦を、２列目の屋根瓦と同様に順次載置して固定する。
【００１１】
屋根瓦の各上端部を、屋根面に直接載置して固定してもよく、屋根面に間接的に載置して固定してもよい。屋根瓦の各上端部を屋根面に間接的に固定する場合、第３瓦桟固定工程を備えてもよい。第３瓦桟固定工程では、複数列の各列に対応する複数の第３瓦桟の各々を、各列の屋根瓦の上端部を載置可能な屋根面の所定位置に上記傾斜交叉方向に沿って略直線状に配置して固定する。この場合、瓦固定工程では、１列目の屋根瓦の上端部と下部とを、１列目に対応する第３瓦桟と第１瓦桟とにそれぞれ載置して固定した後、２列目の屋根瓦の上端部と下端部とを、２列目に対応する第３瓦桟と１列目の屋根瓦の上端部とに載置し、２列目の屋根瓦の上端部を第３瓦桟に固定するとともに、２列目の屋根瓦の下部を２列目に対応する第２瓦桟に接触又は非接触状態で固定し、３列目以降の屋根瓦を、２列目の屋根瓦と同様に順次載置して固定する。
【００１２】
上記構成及び方法では、１列目の各屋根瓦については、上端部が屋根面に固定され、下部が第１瓦桟に載置されて固定される。また、２列目以降の各屋根瓦については、上端部が屋根面に固定され、下端部が１列下の屋根瓦の上端部に載置され、下部が当該列に対応する第２瓦桟に接触又は非接触状態で固定される。このように、２列目以降の屋根瓦についても、その上側と下側とが屋根面に固定されるので、強風を受けた際の屋根瓦の離脱を確実に防止することができる。
【発明の効果】
【００１３】
本発明によれば、強風を受けた際の屋根瓦の離脱を確実に防止することができる。
【図面の簡単な説明】
【００１４】
【図１】本実施形態の瓦屋根を示す外観平面図である。
【図２】瓦屋根の要部断面図であり、（ａ）は図１のIIａ−IIａ断面図、（ｂ）は図１のIIｂ−IIｂ断面図である。
【図３】瓦屋根の下端の断面図である。
【図４】瓦屋根の上端の断面図である。
【図５】屋根瓦を載置する前の屋根を示す斜視図である。
【図６】屋根瓦の図であり、（ａ）屋根瓦を上面側から視た斜視図、（ｂ）は（ａ）のVIｂ−VIｂ断面図、（ｃ）は（ａ）のVIｃ−VIｃ断面図である。
【発明を実施するための形態】
【００１５】
以下に、本発明の一実施形態を図面に基づいて説明する。
【００１６】
図１〜図４に示すように、瓦屋根（以下、単に屋根と称する）１は、タルキ２上に固定された野地板３と、野地板３上に配置される多数の屋根瓦（軽量スレート）２０とを備える。野地板３は、木製の合板上に下葺材（耐水性のシート材）を敷設したものであり、下葺材の外面（上面）が屋根面４を構成する。
【００１７】
図１に示すように、複数の屋根瓦２０は、屋根１の傾斜方向３０に沿って並ぶ複数列の各列において複数の屋根瓦２０が傾斜方向３０と略直交する傾斜交叉方向３１に沿って並び、隣接する上下の列において上側の屋根瓦２０の下端部が下側の屋根瓦２０の上端部に上方から重なるように配置される。
【００１８】
図５に示すように、屋根面４には、所定間隔をおいて傾斜交叉方向３１に並ぶ縦方向の瓦桟（縦桟）１０が釘（図示省略）によって固定されている。各縦桟１０は、屋根１の上端から下端まで傾斜方向３０に沿って直線状に延びる。
【００１９】
図３及び図５に示すように、野地板３の軒端（屋根１の最下部である軒先）には、複数列のうち最下列（軒側先端）となる１列目に対応する第１瓦桟（鼻桟）１１が配置されている。第１瓦桟１１は、縦桟１０に載置されて傾斜交叉方向３１に沿って横方向に略直線状に延び、釘（図示省略）によって縦桟１０に固定される。１列目の屋根瓦２０の下部（軒先側）は、第１瓦桟１１に載置され、釘１４によって第１瓦桟１１に固定される。なお、第１瓦桟１１の下方近傍には、軒樋５が設けられている。
【００２０】
第１瓦桟１１の上側には、第３瓦桟１３と第２瓦桟１２とが交互に配置される。第２瓦桟１２及び第３瓦桟１３は、縦桟１０に載置されて傾斜交叉方向３１に沿って横方向に略直線状に延び、釘（図示省略）によって縦桟１０に固定される。
【００２１】
図１〜図５に示すように、第３瓦桟１３は、複数列の各列に対応して設けられ、傾斜交叉方向３１に沿って略直線状に延びる。第３瓦桟１３は、各列の屋根瓦２０の上端部の下方に配置され、屋根瓦２０の上端部は、第３瓦桟１３に引っ掛けられた状態で載置され、釘１５によって第３瓦桟１３に固定される。なお、屋根瓦の上端部を第３瓦桟１３に引っ掛けず、第３瓦桟１３に単に載置して固定してもよい。
【００２２】
第２瓦桟１２は、複数列のうち最下列を除く２列目以降の各列に対応して設けられ、１列下の第３瓦桟１３の斜め上方で、且つ１列下の屋根瓦２０の上端部の斜め上方近傍に配置され、傾斜交叉方向３１に沿って略直線状に延びる。第２瓦桟１２は、２列目以降の各列の屋根瓦２０の下部（１列下の屋根瓦２０と重ならない部分の下端部）の下方に配置され、２列目以降の屋根瓦２０の下部は、第２瓦桟１２に接触した状態又は非接触の状態で第２瓦桟１２に釘１６によって固定される。
【００２３】
縦桟１０、第１瓦桟１１、第２瓦桟１２及び第３瓦桟１３は、何れも略角柱状であり、木材や樹脂材などによって形成される。縦桟１０、第１瓦桟１１、第２瓦桟１２及び第３瓦桟１３の各々は、１本の長尺材によって構成してもよく、複数の短尺材を直線状に配置して構成してもよい。第２瓦桟１２の高さ（縦桟１０の上面からの突出高さ）は、第３瓦桟１３よりも高く設定されている。なお、釘１４，１５，１６は、スクリュー釘（先端部にタッピングネジが形成された釘）やビス等の他の固定用部材であってもよい。ビス等によってネジ止めすることにより、屋根瓦２０をより強固に固定することができる。
【００２４】
図４に示すように、屋根１の稜線部では、最頂部（最上列）の１対の屋根瓦２０の上端同士が対向し、最頂部の１対の屋根瓦２０を跨った状態で棟瓦２１が載置される。棟瓦２１は、傾斜交叉方向３１に沿って複数並んで配置される。棟瓦２１は釘１９によって棟木１７に固定され、棟木１７は、棟木受け部材１８を介して屋根１の稜線部の左右の野地板３に固定される。
【００２５】
図６に示すように、屋根瓦２０の上端部には、第３瓦桟１３との固定用の釘１５（図２〜図４参照）を容易に貫通させるための上側薄肉部２２が形成され、屋根瓦２０の下部には、第２瓦桟１２との固定用の釘１６（図２〜図４参照）を容易に貫通させるための下側薄肉部２３が形成されている。上側薄肉部２２及び下側薄肉部２３は、円形状の窪みによって屋根瓦２０を部分的に薄肉化したものであり、上側薄肉部２２及び下側薄肉部２３によって釘１５，１６を屋根瓦２０に容易に貫通させることができる。
【００２６】
次に、屋根瓦２０の固定方法（固定工法）について説明する。
【００２７】
先ず、第１瓦桟１１を、１列目の屋根瓦２０の下部が載置可能な屋根面４の軒端に、傾斜交叉方向３１に沿って略直線状に配置して固定する（第１瓦桟固定工程）。
【００２８】
次に、２列目以降の各列に対応する複数の第２瓦桟１２の各々を、屋根面４の所定位置に傾斜交叉方向３１に沿って略直線状に配置して固定するとともに（第２瓦桟固定工程）、複数列の各列に対応する複数の第３瓦桟１３の各々を、各列の屋根瓦２０の上端部を載置可能な屋根面４の所定位置に傾斜交叉方向３１に沿って略直線状に配置して固定する（第３瓦桟固定工程）。
【００２９】
最後に、屋根瓦２０を載置して固定する（瓦固定工程）。瓦固定工程では、１列目の屋根瓦２０の上端部と下部とを、１列目に対応する第３瓦桟１３と第１瓦桟１１とにそれぞれ載置して釘１４，１５によって固定した後、２列目の屋根瓦２０の上端部と下端部とを、２列目に対応する第３瓦桟１３と１列目の屋根瓦２０の上端部とに載置し、２列目の屋根瓦２０の上端部を釘１５によって第３瓦桟１３に固定するとともに、２列目の屋根瓦２０の下部を２列目に対応する第２瓦桟１２に接触又は非接触状態で釘１６によって固定する。３列目以降（３列目から最上列まで）の各列についても、２列目と同様に屋根瓦２０を順次載置して固定する。
【００３０】
なお、１列目の屋根瓦２０を固定した後であれば、第２瓦桟固定工程と第３瓦桟固定工程と瓦固定工程とを混在させて行ってもよい。例えば、２列目の屋根瓦２０を固定する際には、２列目に対応する第２瓦桟１２及び第３瓦桟１３を固定した後、２列目の屋根瓦２０を第２瓦桟１２及び第３瓦桟１３に固定し、３列目の屋根瓦２０を固定する際には、３列目に対応する第２瓦桟１２及び第３瓦桟１３を固定した後、３列目の屋根瓦２０を第２瓦桟１２及び第３瓦桟１３に固定するというように、各列の屋根瓦２０を固定する直前に当該列に対応する第２瓦桟１２及び第３瓦桟１３を固定してもよい。
【００３１】
本実施形態によれば、１列目の各屋根瓦２０については、上端部が第３瓦桟１３に載置されて固定され、下部が第１瓦桟１１に載置されて固定される。また、２列目以降の各屋根瓦２０については、上端部が第３瓦桟１３に載置されて固定され、下端部が１列下の屋根瓦２０の上端部に載置され、下部が第２瓦桟１２に接触又は非接触状態で固定される。このように、２列目以降の屋根瓦２０についても、その上側と下側とが屋根面４に固定されるので、強風を受けた際の屋根瓦２０の離脱を確実に防止することができる。
【００３２】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【００３３】
例えば、上記実施形態では、屋根面４に縦桟１０を固定し、縦桟１０に第１瓦桟１１と第２瓦桟１２と第３瓦桟１３とを固定したが、縦桟１０を省略して、第１瓦桟１１と第２瓦桟１２と第３瓦桟１３とを屋根面４に直接固定してもよい。さらに、縦桟１０に加えて第３瓦桟１３も省略し、屋根瓦２０の上端部を屋根面４に直接載置して固定してもよい。
【産業上の利用可能性】
【００３４】
本発明は、瓦屋根に広く適用可能である。
【符号の説明】
【００３５】
１：瓦屋根
２：タルキ
３：野地板
４：屋根面
５：軒樋
１０：縦桟（縦方向の瓦桟）
１１：第１瓦桟（鼻桟）
１２：第２瓦桟
１３：第３瓦桟
１４，１５，１６，１９：釘
１７：棟木
１８：棟木受け部材
２０：屋根瓦
２１：棟瓦
２２：上側薄肉部
２３：下側薄肉部
３０：傾斜方向
３１：傾斜交叉方向
【図１】
2018162556.tif 000003
【図２】
2018162556.tif 000004
【図３】
2018162556.tif 000005
【図４】
2018162556.tif 000006
【図５】
2018162556.tif 000007
【図６】
2018162556.tif 000008